(57)【要約】【目的】洗面所における鏡化粧台であって、この鏡化粧台を構成する鏡を具備した扉が開閉いずれの状態においても整然とした外観にすることができる鏡台ユニットとすること。【構成】収納筐体１と、中間扉枠部２と、鏡扉部３とかなり、中間扉枠部２はその幅方向一端側を第１連結部Ｐ1として開閉自在とし、鏡扉部３は中間扉枠部２の第１連結部Ｐ1とは、幅方向において反対側に第２連結部Ｐ2を設けること。中間扉枠部２は収納筐体１の正面開口部１ａ内部に収まるように閉じるものとし、鏡扉部３は収納筐体１の正面を覆うように閉じる構成とすること。中間扉枠部２と鏡扉部３との全開状態は相互に直角状とし、中間扉枠部２の幅方向で且つ第２連結部側Ｐ2の端部側面２ａは直角に開いたときに、鏡扉部３の裏面側３ｒに当接する構成としてなること。【選択図】  図１
2013255628.tif 000002
【特許請求の範囲】
【請求項１】
収納筐体と、中間扉枠部と、鏡扉部とかなり、前記中間扉枠部はその幅方向一端側を第１連結部として開閉自在とし、前記鏡扉部は前記中間扉枠部の前記第１連結部とは、幅方向において反対側に第２連結部を設け、前記中間扉枠部は前記収納筐体の正面開口部内部に収まるように閉じるものとし、前記鏡扉部は前記収納筐体の正面を覆うように閉じる構成とし、前記中間扉枠部と前記鏡扉部との全開状態は相互に直角状とし、前記中間扉枠部の幅方向で且つ前記第２連結部側の端部側面は直角に開いたときに、前記鏡扉部の裏面側に当接する構成としてなることを特徴とする鏡台ユニット。
【請求項２】
請求項１において、前記中間扉枠部は、前記収納筐体の正面開口部よりも高さ寸法及び幅寸法がそれぞれ小さく形成されると共に、前記鏡扉部は、前記収納筐体の前記正面開口部の高さ寸法及び幅寸法と同一もしくは大きく形成されてなることを特徴とする鏡台ユニット。
【請求項３】
請求項１又は２において、前記中間扉枠部と前記鏡扉部との前記第２連結部は、折り畳みの内方側に平蝶番が装着されてなることを特徴とする鏡台ユニット。
【請求項４】
請求項３において、前記平蝶番は複数個が設けられ、その一部には開き方向に弾性付勢する弾性部材が具備されてなることを特徴とする鏡台ユニット。
【請求項５】
請求項１，２，３又は４のいずれか１項の記載において、前記第２連結部付近で且つ前記鏡扉部の幅方向端部寄りの位置には、長手方向に沿って立上り状のガード部材が装着されてなることを特徴とする鏡台ユニット。
【請求項６】
請求項１，２，３，４又は５のいずれか１項の記載において、前記中間扉枠部は縦枠と横枠とから構成され、前記縦枠と前記横枠とは、それぞれ予め長さ寸法の異なるものが複数種類用意され、これらが組み合わせられることにより、複数のサイズの中間扉枠部が構成されてなることを特徴とする鏡台ユニット。
【発明の詳細な説明】
【技術分野】
【０００１】
本発明は、洗面所における鏡化粧台であって、この鏡化粧台を構成する鏡を具備した扉が開閉いずれの状態においても整然とした外観にすることができる鏡台ユニットに関する。
【背景技術】
【０００２】
従来、洗面所の化粧台として、複数の棚が有機的に集合又は組み合わせることによるシステム化されたものが存在する。そして、棚の扉には鏡が装着されて、洗面所における収納を兼ねた鏡台として使用するものが一般的である。この種のものとして、中央に主鏡が備えられ、その両サイドに袖鏡が備えられたものが多い。そして、両サイドの袖鏡は、棚の扉として兼用されると共に、その袖鏡が手前に迫り出す構造を具備したものが存在している。上記の構成を具備したものとして、特許文献１が存在する。
【先行技術文献】
【特許文献】
【０００３】
【特許文献１】特開２００４−５１８号公報
【発明の開示】
【発明が解決しようとする課題】
【０００４】
特許文献１では、袖鏡と、該袖鏡を装着した扉を備えたキャビネットから構成される。前記キャビネットと前記袖鏡との間には水平面上を回動するフレームを介して連結され、該フレームと前記袖鏡とが蝶番にて折り畳み構造となるように構成されている。
【０００５】
ここで、特許文献１における蝶番は、キャビネットとフレーム及び該フレームと袖鏡とのそれぞれ上下端部同士をヒンジにて枢支連結している。この特許文献１におけるヒンジは、キャビネットに対して、フレーム及び袖鏡の開閉いずれの状態においても、外部に露出することになる。また、キャビネットに対して、袖鏡を閉じた状態では、フレームと袖鏡とが重なった状態で、フレームの一部、つまり外周側面が露出した状態となる。
【０００６】
本来、システム家具は、デザイン性が重要で、整然とした状態であることが必要である。そのために、蝶番（ヒンジ）等の金具は外部に露出しないように構成されることが好ましい。したがって、特許文献１に見られるように、蝶番が外部に露出することにより、その外観を著しく損なうことになってしまう。
【０００７】
さらに、このようなシステム家具は、近年、マンション等の集合住宅に使用されるものであるが、それぞれの部屋の構造や大きさ等は、異なる場合もあり、設置条件も異なってしまう。そのために、システムを構成するフレーム等の部材が１種類だけだと、異なる場所によって対応しきれないこともある。
【０００８】
そこで、本発明の目的（解決しようとする技術的課題）は、鏡が手前側に迫り出す構成のシステム家具として、極めて簡単な構成にて、蝶番等の金具が外部に露出することなく、整然とした優れた外観を有し、また、全体のサイズに対応して構成する部材を組み立てることができる鏡台ユニットを提供することにある。
【課題を解決するための手段】
【０００９】
そこで、発明者は、上記課題を解決すべく、鋭意，研究を重ねた結果、請求項１の発明を、収納筐体と、中間扉枠部と、鏡扉部とかなり、前記中間扉枠部はその幅方向一端側を第１連結部として開閉自在とし、前記鏡扉部は前記中間扉枠部の前記第１連結部とは、幅方向において反対側に第２連結部を設け、前記中間扉枠部は前記収納筐体の正面開口部内部に収まるように閉じるものとし、前記鏡扉部は前記収納筐体の正面を覆うように閉じる構成とし、前記中間扉枠部と前記鏡扉部との全開状態は相互に直角状とし、前記中間扉枠部の幅方向で且つ前記第２連結部側の端部側面は直角に開いたときに、前記鏡扉部の裏面側に当接する構成としてなる鏡台ユニットとしたことにより、上記課題を解決した。
【００１０】
請求項２の発明を、請求項１において、前記中間扉枠部は、前記収納筐体の正面開口部よりも高さ寸法及び幅寸法がそれぞれ小さく形成されると共に、前記鏡扉部は、前記収納筐体の前記正面開口部の高さ寸法及び幅寸法と同一もしくは大きく形成されてなる鏡台ユニットとしたことにより、上記課題を解決した。
【００１１】
請求項３の発明を、請求項１又は２において、前記中間扉枠部と前記鏡扉部との前記第２連結部は、折り畳みの内方側に平蝶番が装着されてなる鏡台ユニットとしたことにより、上記課題を解決した。請求項４の発明を、請求項３において、前記平蝶番は複数個が設けられ、その一部には開き方向に弾性付勢する弾性部材が具備されてなる鏡台ユニットとしたことにより、上記課題を解決した。
【００１２】
請求項５の発明を、請求項１，２，３又は４のいずれか１項の記載において、前記第２連結部付近で且つ前記鏡扉部の幅方向端部寄りの位置には、長手方向に沿って立上り状のガード部材が装着されてなる鏡台ユニットとしたことにより、上記課題を解決した。
【００１３】
請求項６の発明を、請求項１，２，３，４又は５のいずれか１項の記載において、前記中間扉枠部は縦枠と横枠とから構成され、前記縦枠と前記横枠とは、それぞれ予め長さ寸法の異なるものが複数種類用意され、これらが組み合わせられることにより、複数のサイズの中間扉枠部が構成されてなる鏡台ユニットとしたことにより、上記課題を解決した。
【発明の効果】
【００１４】
請求項１の発明では、中間扉枠部はその幅方向一端側を第１連結部として開閉自在とし、中間扉枠部は前記収納筐体の正面開口内部に収まるように閉じるものとした。さらに、鏡扉部は前記中間扉枠部の前記第１連結部とは、幅方向において反対側に第２連結部を設け、前記鏡扉部は前記収納筐体の正面を覆うように閉じる構成とした。
【００１５】
これにより、中間扉枠部は、収納筐体の正面開口部内に収まり、鏡扉部は、収納筐体に対して中間扉枠部が全く外部に露出することなく、閉じた状態にすることができ、本発明の鏡台ユニットを優れた外観にすることができる。さらに、中間扉枠部と鏡扉部とは全開状態は、相互に直角状又は略直角状とし、前記中間扉枠部の幅方向で且つ前記第２連結部側の端部側面が前記鏡扉部の裏面側に当接するようにした。
【００１６】
よって、鏡扉部が中間扉枠部に対して開き過ぎることがなく、鏡扉部が不安定になることを防止できる。また、前述したように前記中間扉枠部の幅方向で且つ前記第２連結部側の端部側面が前記鏡扉部の裏面側に当接する構成としたのみで、中間扉枠部の端部側面が該中間扉枠部と鏡扉部との開閉角度を規制するストッパとしての役目をなすものである。
【００１７】
したがって、中間扉枠部と鏡扉部は、直角又は略直角よりも大きな角度に開かないように、規制する構成となり、常時、中間扉枠部に対して鏡扉部を安定した状態で使用することができる。また、このように、極めて簡単な構造にて、中間扉枠部と鏡扉部との開き過ぎの防止機構を具備することができる。
【００１８】
請求項２の発明では、中間扉枠部は、収納筐体の正面開口部よりも高さ寸法及び幅寸法がそれぞれ小さく形成されたことによって、中間扉枠部は収納筐体の正面開口部内に確実に収まる。また、鏡扉部は、前記収納筐体の正面開口部の高さ寸法及び幅寸法と同一もしくは大きく形成されたことにより、収納筐体に対して鏡扉部を閉じたときには、中間扉枠部は全く外部に露出することがない構成にでき、閉じた状態で、シンプルで極めて良好な外観性にすることができる。
【００１９】
請求項３の発明では、中間扉枠部と鏡扉部との第２連結部における折り畳みの内方側に蝶番が装着されてなる鏡台ユニットとしたことにより、鏡扉部を収納筐体から手前側に迫り出す操作を行ったときに、蝶番が外部より、見え難い状態となり、鏡扉部を迫り出したときであっても、蝶番が外部から見えてしまうことを防止できる。これによって、鏡扉部を迫り出したときであっても、蝶番等の部品が鏡を使用する人の目に晒されることがなく、良好な外観を維持することができる。
【００２０】
また、収納筐体と中間扉枠部とはスライド蝶番にて連結する場合では、中間扉枠部が収納筐体の正面開口内に収まる開閉動作を円滑に行うことができると共に、スライド蝶番の復元の性質によって、中間扉枠部は閉じ方向に僅かに圧力をかけるのみで自動的に閉じようとする傾向を有するという利点もある。
【００２１】
請求項４の発明では、前記平蝶番は複数個が設けられ、その一部には開き方向に弾性付勢する弾性部材が具備された構成としたことにより、鏡扉部を開くときに、弾性力のアシストにより、鏡扉部を容易に開きやすい構成にすることができる。
【００２２】
請求項５の発明では、第２連結部付近で且つ前記鏡扉部の幅方向端部寄りの位置には、長手方向に沿って立上り状のガード部材が装着されているので、鏡扉部を開こうとするときに、鏡扉部の裏面側に手を当ててもガード部材によって中間扉枠部と鏡扉部との第２連結部箇所で指を挟んだりすることを防止でき、使用する人の保護がなされるものである。
【００２３】
請求項６の発明では、縦枠と前記横枠とは、それぞれ予め長さ寸法の異なるものが複数種類用意され、これらが組み合わせられることにより、複数のサイズの中間扉枠部が構成され、本発明の鏡台ユニットは、設置場所の空間の大きさが変化しても、十分に対応することができる。
【図面の簡単な説明】
【００２４】
【図１】（Ａ）は本発明の鏡台ユニットが配置された洗面鏡台の斜視図、（Ｂ）は（Ａ）の横断平面図、（Ｃ）は（Ｂ）の（ア）部拡大図である。
【図２】（Ａ）は収納筐体の縦断正面図、（Ｂ）は収納筐体の縦断側面図、（Ｃ）は（Ａ）のＸ1−Ｘ1矢視拡大断面図である。
【図３】（Ａ）は中間扉枠部と鏡扉部とが第２連結部にて連結されて略全開状態とした斜視図、（Ｂ）は（Ａ）の（イ）部拡大図、（Ｃ）は（Ｂ）のＸ2−Ｘ2矢視拡大断面図である。
【図４】（Ａ）は中間扉枠部の正面図、（Ｂ）は（Ａ）のＸ3−Ｘ3矢視断面図、（Ｃ）は（Ｂ）の（エ）部拡大図、（Ｄ）は（Ｂ）の（オ）部拡大図、（Ｅ）は（Ａ）の（ウ）部背面図である。
【図５】（Ａ）は中間扉枠部における第１縦枠と横枠との接合構造を示す要部斜視図、（Ｂ）は中間扉枠部における第２縦枠と横枠との接合構造を示す要部斜視図。
【図６】（Ａ）及び（Ｂ）は中間扉枠部の第１縦枠，第２縦枠及び横枠の寸法を適宜設定した状態の分離した状態の正面図である。
【発明を実施するための形態】
【００２５】
以下、本発明の実施形態を図面に基づいて説明する。本発明における鏡台ユニットは、図１，図２等に示すように、組立てタイプの洗面所の鏡台を構成するものであり、中央鏡台部７の幅方向両側に配置される〔図１（Ａ），（Ｂ）参照〕。鏡台ユニットは、主に収納筐体１，中間扉枠部２及び鏡扉部３とから構成される（図１，図２参照）。収納筐体１は、幅方向両側に縦側板１１，１１が配置され、両縦側板１１，１１の上端に頂板１２が配置され、両縦側板１１，１１の下端に底板１３が配置されている。
【００２６】
そして、頂板１２と底板１３との間には、適宜の間隔で棚板が装着されることもある。収納筐体１には、正面に化粧品，化粧道具等の収納及びその出し入れのための正面開口部１ａが存在する。前記収納筐体１に対して、中間扉枠部２が第１連結部Ｐ1を介して開閉
自在に枢支連結され、中間扉枠部２に対して鏡扉部３が第２連結部Ｐ2を介して回動自在
に枢支連結されている〔図１（Ｂ），（Ｃ）参照〕。
【００２７】
そして、前記中間扉枠部２は、その幅方向で且つ前記第２連結部Ｐ2側の端部側面２ａ
は、直角（略直角も含む）に開いたときに、鏡扉部３の裏面側に当接する構成となる。つまり、中間扉枠部２の端部側面２ａは、鏡扉部３に当接するときには、中間扉枠部２と鏡扉部３とは直角（略直角も含む）となる〔図（Ｂ），（Ｃ）及び図３参照〕。
【００２８】
なお、本発明において、収納筐体１，中間扉枠部２，鏡扉部３等の構成で、正面及び背面が存在し、その正面とは、中間扉枠部２及び鏡扉部３が全閉状態で、鏡を使用する者から見た面が正面であり、その反対側が背面である。
【００２９】
中間扉枠部２は、第１縦枠２１，第２縦枠２２及び横枠２３とから構成され、前記第１縦枠２１と前記第２縦枠２２とが所定間隔に配置され、前記第１縦枠２１と前記第２縦枠２２の上端及び下端に横枠２３，２３が配置される〔図４（Ａ），参照〕。そして、第１縦枠２１と第２縦枠２２と上下の横枠２３，２３とによって長方形の枠体が構成される。
【００３０】
中間扉枠部２において、第１縦枠２１は、前記収納筐体１に対して第１連結部Ｐ1が設
けられる側を構成する〔図１（Ｃ），図２（Ｃ）参照〕。また、第２縦枠２２は、後述する鏡扉部３と連結する第２連結部Ｐ2が設けられる部位となる〔図１（Ｃ），図３参照〕
。前記第１縦枠２１は、長手方向に直交する断面形状が長方形状に形成された中空管形状に形成されており、その長辺側２１ａが中間扉枠部２の幅方向に沿う部分となり、短辺側２１ｂが幅方向端部の側面を構成する〔図４（Ｃ），図５（Ｂ）参照〕。
【００３１】
そして、第１縦枠２１の背面における長辺側２１ａには、前記第１連結部Ｐ1を構成す
るスライド蝶番４１が装着されるための円形開口孔等の取付加工部２１ｄが形成されている〔図４（Ｅ），図５（Ｂ）参照〕。第１縦枠２１の上下両端には、切除部２１ｃ，２１ｃが形成される。
【００３２】
第２縦枠２２は、断面長方形の帯板状に形成されたものであり、その上下方向両端箇所で且つ幅方向の略中間箇所の位置おいて段差状となるように略方形状且つ段差窪み状の切除部２２ａが形成されている。該切除部２２ａは、第２縦枠２２の長手方向の両端に後述する横枠２３とが重なり合う分量だけ形成されている。
【００３３】
第２縦枠２２の幅方向の両端側面で且つ、鏡扉部３と第２連結部Ｐ2にて連結する側の
端面は端部側面２ａと称する〔図１（Ｃ），図３（Ｂ），（Ｃ）参照〕。つまり、中間扉枠部２の幅方向の端部で鏡扉部３と第２連結部Ｐ2にて連結する側の端面が前記鏡扉部３の裏面側３ｒと当接する端部側面２ａとなる。該端部側面２ａは、中間扉枠部２の第１連結部Ｐ1が設けられている端部側面とは反対側の側面となる。端部側面２ａは、後述するように鏡扉部３の裏面側３ｒに当接し、中間扉枠部２と鏡扉部３とが直角（略直角も含む）となるように、開き角度を規制する（図３参照）。
【００３４】
横枠２３は、中間扉枠部２の上下に配置されるものであり、長手方向両端に段差接続部２３ａ，２３ｂが形成されている。そして、横枠２３の一方の段差接続部２３ａは、前記第１縦枠２１に形成された切除部２１ａに挿入されるようにしてと接合される〔図５（Ｂ）参照〕。
【００３５】
また、前記横枠２３の他方の段差接続部２３ｂは、前記第２縦枠２２に形成された切除部２２ａに重合するようにして接続され〔図５（Ａ）参照〕、それぞれは、ビス等の固着具にて固着される。このようにして、第１縦枠２１，第２縦枠２２及び上下の横枠２３，２３によって、中間扉枠部２が形成される（図４参照）。
【００３６】
中間扉枠部２は、前記収納筐体１のいずれか一方の縦側板１１に第１連結部Ｐ1を介し
て開閉自在に装着される。中間扉枠部２は、収納筐体１に対して閉じた状態では、中間扉枠部２の全体が前記収納筐体１の正面開口部１ａから、収納筐体１の内部側に完全に収められる構造としたものである。
【００３７】
つまり、中間扉枠部２は、収納筐体１に対して閉じたときには、正面開口部１ａから内部に入り込み、該正面開口部１ａから収納筐体１の外部には露出しない構成となる〔図１（Ｂ），（Ｃ）図３及び図４等参照〕。第１連結部Ｐ1は、具体的には、スライド蝶番４
１が好適である。
【００３８】
特に、該スライド蝶番４１として使用される種類では、閉じたときに中間扉枠部２が収納筐体１の正面開口部１ａから内部に収まるものが使用される。また、中間扉枠部２が閉じ状態で収納筐体１の正面開口部１ａより内部に収まる構成となるものであれば、前記スライド蝶番４１に限定されず、その他の蝶番を使用しても構わない。
【００３９】
中間扉枠部２は、第１縦枠２１，第２縦枠２２及び横枠２３，２３の長手方向の寸法を適宜自由に設定することにより、複数の異なるサイズの中間扉枠部２を備え、新築工事における異なる広さの部屋に対応させることができる。具体的には、第１縦枠２１の長手方向寸法をＬａとし、第２縦枠２２の長手方向寸法をＬｂとする。また横枠２３の長手方向寸法をＬｃとする。
【００４０】
寸法Ｌａと、寸法Ｌｂとは、同一である。したがって、寸法Ｌａと寸法Ｌｂのサイズを大きくしたり、或いは小さく設定したものを数種類用意しておくことで中間扉枠部２の高さ方向の寸法を大きいものとしたり、小さいものとして組み立てることができ、洗面室の広さに応じた鏡のサイズに合わせたものを迅速に用意することができる。
【００４１】
同様に、横枠２３についても寸法Ｌｃのサイズを大きくしたり、或いは小さく設定したものを数種類用意しておくことで中間扉枠部２の幅方向の寸法を大きいものとしたり、小さいものとして組み立てることができ、洗面室の広さに応じた鏡のサイズに合わせたものを迅速に用意することができる。
【００４２】
そのために、前記中間扉枠部２は、前記収納筐体１の正面開口部１ａよりも高さ寸法及び幅寸法がそれぞれ小さく形成される。ここで、収納筐体１の正面開口部１ａの高さ寸法をＨａとし、幅方向寸法をＷａとし、また中間扉枠部２の高さ寸法をＨｂとし、幅方向寸法をＷｂとする。
【００４３】
したがって、中間扉枠部２の収納筐体１の正面開口部１ａの寸法の大小関係は、以下のようになる。
2013255628.tif 000003
及び
2013255628.tif 000004
である。
【００４４】
次に、鏡扉部３は、ベース部３１に鏡部３２が装着されたものである。ベース部３１は、肉厚のある板材から構成され、具体的には木製板材が使用されているが、その他の部材が使用されることもあり、いずれの部材であっても、強固なものが使用される。鏡扉部３は、前記中間扉枠部２と第２連結部Ｐ2を介して連結される。
【００４５】
具体的には、中間扉枠部２の幅方向において、前記第１連結部Ｐ1の側とは反対側とな
る位置と、鏡扉部３とが第２連結部Ｐ2によって連結されるものであり、実際には、中間
扉枠部２の第２縦枠２２と鏡扉部３のベース部３１とが第２連結部Ｐ2により連結される
ものである。
【００４６】
前記第１連結部Ｐ1と前記第２連結部Ｐ２とは、中間扉枠部２の幅方向において、それ
ぞれ反対側に装着されている。さらに、中間扉枠部２と鏡扉部３とは、折り畳まれた状態で、それぞれの幅方向端部は第２連結部Ｐ2側において、鏡扉部3が中間扉枠部２よりも僅かに幅方向に突出する構成となっている。
【００４７】
また、第１連結部Ｐ1は、幅方向において反対側では、鏡扉部３が中間扉枠部２よりも
大きく突出する形状となっている。第２連結部Ｐ2は、平蝶番４２が使用される。該平蝶
番４２は、２枚の板材と枢支連結部とから構成される通常の蝶番である。平蝶番４２は、複数個が備わっており、一列に配列されている。また中間扉枠部２と鏡扉部３の長手方向に沿って、長尺な一本の平蝶番４２が使用されることもある。
【００４８】
さらに、前記鏡扉部３には、前記第２連結部Ｐ２付近で且つ前記鏡扉部３の幅方向端部寄りの位置に、長手方向に沿って立上り状のガード部材５が装着される〔図１（Ｃ），図３等参照〕。ガード部材５は、長手方向に直交する断面形状が略Ｌ字形状に形成されたものであり、取付片５１と立上り片５２とから構成されている。そして、該立上り片５２は、前記中間扉枠部２の端部側面２ａの付近に位置するようにしてガード部材５が鏡扉部３の裏面側に装着される。
【００４９】
前記中間扉枠部２と前記鏡扉部３とは、第２連結部Ｐ2を介して開閉するものであるが
、その全開状態における開き角度θは、相互に直角状（約９０度）程度で、直角付近の角度も含まれる〔図１（Ｃ），図３（Ｃ）参照〕。実際には、直角よりも僅かに大きく開くように構成されている。
【００５０】
中間扉枠部２の幅方向端部の鏡扉部３の幅方向端部が第２連結部Ｐ2側の端部側面２ａ
は、中間扉枠部２と鏡扉部３とが相互に直角に開いた状態となったときに、前記鏡扉部３の裏面側３ｒに当接する構成としている。ここで、鏡扉部３の裏面側３ｒとは、鏡扉部３の背面側に等しい。
【００５１】
また、鏡扉部３の裏面側３ｒには、前述したようにガード部材５が装着された構成においては、前記中間扉枠部２の端部側面２ａは、ガード部材５の取付片５１に当接することになる。前記取付片５１は、鏡扉部３の裏面側３ｒに装着されているので、中間扉枠部２の端部側面２ａが鏡扉部３の裏面側３ｒに間接的に当接するものであり、このような形態においても、前記端部側面２ａは、鏡扉部３の裏面側３ｒに当接する概念に含まれるものである〔図３（Ｃ）参照〕。
【００５２】
また、前記中間扉枠部２の端部側面２ａ箇所を構成する第２縦枠２２の幅方向外側面には、補強部材２４が装着されている〔図３（Ｃ）参照〕。該補強部材２４は、金属製で且つ断面Ｌ字形状に形成され、第２縦枠２２の裏面（又は正面）と幅方向端面との角部に亘って装着されている。そして中間扉枠部２の端部側面２ａは、前記補強部材２４を装着した状態では、補強部材２４の装着した部分が端部側面２ａとして使用されることになる。
【００５３】
これによって、中間扉枠部２と鏡扉部３とが第２連結部Ｐ２を介して略直角となるように規制されつつ開くことができ、中間扉枠部２と鏡扉部３とが過度に開き過ぎて、鏡扉部３の開き位置が不安定となることを防止するものである〔図１（Ａ），（Ｃ）参照〕。
【００５４】
鏡扉部３は、前記収納筐体１の正面開口部１ａよりも高さ寸法及び幅寸法が同一もしくは大きく形成される。ここで、鏡扉部３の高さ寸法をＨｃとし、幅方向寸法をＷｃとすると、大小関係は以下のようになる。
2013255628.tif 000005
及び
2013255628.tif 000006
である。
【００５５】
つまり、収納筐体１の正面開口部１ａと、中間扉枠部２と、鏡扉部３との大小関係は、鏡扉部３，収納筐体１の正面開口部１ａ，中間扉枠部２の順である。つまり、
2013255628.tif 000007
及び
2013255628.tif 000008
である。
【００５６】
本発明では、中間扉枠部２は、収納筐体１の正面開口部１ａよりも高さ寸法及び幅寸法がそれぞれ小さく形成されたことによって、中間扉枠部２は収納筐体１の正面開口部１ａ内に確実に収まる。また、鏡扉部３は、前記収納筐体１の正面開口部１ａの高さ寸法及び幅寸法と同一もしくは大きく形成されたことにより、収納筐体１に対して鏡扉部３を閉じたときには、中間扉枠部２は収納筐体１の正面開口部１ａから外部に全く露出することがない構成にできる。
【００５７】
したがって、収納筐体１に対して、中間扉枠部２及び鏡扉部３が全閉した状態では、中間扉枠部２が収納筐体１の正面開口部１ａから内部に収まる構成であり、鏡扉部３が収納筐体１の正面開口部１ａを覆うように閉じるので、全閉状態において、鏡扉部３と収納筐体１との間には中間扉枠部２は露出されない。そのために、鏡扉部３が収納筐体１に対する全閉状態において、本発明の鏡台ユニットは、その外観を整然としたものとし、シンプル且つ優れたデザインにすることができる。
【００５８】
また、中間扉枠部２と鏡扉部３とが収納筐体１に対して全開状態の場合には、中間扉枠部２と鏡扉部３との第２連結部Ｐ2における折り畳みの内方側に平蝶番４２が装着されて
いる。そのために、鏡扉部３を収納筐体１から手前側に迫り出す操作を行ったときに、平蝶番４２が鏡を使用する者から、見え難い状態となり、鏡扉部３を迫り出したときであっても、平蝶番４２が外部から見えてしまうことを防止できる。これによって、鏡扉部３を手前側に迫り出したときであっても、蝶番等の部品が鏡を使用する人の目に晒されることがなく、良好な外観を維持することができる。
【００５９】
前記第２連結部Ｐ2では、その一部に開き方向に弾性付勢する弾性部材４３が装着され
ている〔図３（Ｂ），（Ｃ）参照〕。該弾性部材４３は、第２連結部Ｐ2を構成する複数
の前記平蝶番４２，４２，…の中で１個又は２個等の少数に装着される。
【００６０】
そして、鏡扉部３を収納筐体１から開くときに、前記弾性部材４３によって中間扉枠部２と鏡扉部３との間にて開く方向に弾性付勢力が働き、中間扉枠部２に対して鏡扉部３は略直角状態に開き、且つ弾性付勢力にてその直角状態を維持することができ、安定した鏡扉部３の開き状態にすることができる。
【００６１】
ガード部材５は、収納筐体１から鏡扉部３と中間扉枠部２とを開くときに、鏡扉部３の裏面側３ｒと、中間扉枠部２の端部側面２ａに指が近づかないようにして、鏡扉部３の裏面側との間に指を詰める事故を未然に防止する役目をなすものである。
【００６２】
本発明における鏡台ユニットは、中央鏡台部７の幅方向両側に左右対称に設置される〔図１（Ａ），（Ｂ）参照〕。中央鏡台部７の鏡は、鏡台ユニットの鏡扉部３における鏡部３２の幅方向寸法のおよそ２倍程度である。中央鏡台部７の両側における鏡台ユニットの鏡扉部３を略最大に開くと、中央鏡台部７の手前側において、両中間扉枠部２，２と、両鏡扉部３，３とが略長方形状の枠状を構成しつつ、両鏡扉部３，３が手前側に迫り出し、あたかも中央鏡台部７が手前に迫り出すように見える。
【００６３】
また鏡扉部３と収納筐体１との間には戸閉用のロック部材８，８が装着され、閉じた状態を維持することができる。該ロック部材８は、具体的には板状の磁石材が使用される。
【符号の説明】
【００６４】
１…収納筐体、２…中間扉枠部、３…鏡扉部、１ａ…正面開口部、２１…第１縦枠、
２２…第２縦枠、２３…横枠、４２…平蝶番、４３…弾性部材、５…ガード部材、
Ｐ1…第１連結部、Ｐ2…第２連結部。
【図１】
2013255628.tif 000009
【図２】
2013255628.tif 000010
【図３】
2013255628.tif 000011
【図４】
2013255628.tif 000012
【図５】
2013255628.tif 000013
【図６】
2013255628.tif 000014